(57)【特許請求の範囲】
【請求項１】
化学式７で示される構造を特徴とする有機薄膜発光素子用の正孔輸送性化合物。
【化１】
0004061840.tif 000023
【請求項２】
一対の電極間に一層以上の有機半導体薄膜層を介在して構成される有機薄膜発光素子において、化学式７で示される構造の化合物を少なくともキャリア輸送機能または発光機能を有する層に用いたことを特徴とする有機薄膜発光素子。
【請求項３】
請求項２に記載の有機薄膜発光素子であって、前記キャリア輸送機能を有する層が銅フタロシアニンの第一の層と、化学式７で示される構造の化合物の第二の層とでなることを特徴とする有機薄膜発光素子。
【発明の詳細な説明】
【０００１】
【発明の属する技術分野】
本発明は、耐熱性正孔輸送性化合物に関するもので、有機半導体薄膜の積層膜からなるダイオード特性を有する有機薄膜発光素子や電子写真感光体等に利用できる。
【０００２】
【従来の技術】
有機薄膜発光素子は、イーストマン・コダック社のＣ．Ｗ．Ｔａｎｇ等により記された特開昭５９−１９４３９３号公報、特開昭６３−２６４６９２号公報、特開昭６３−２９５６９５号公報、アプライド・フィジックス・レター第５１巻第１２号第９１３頁（１９８７年）、およびジャーナル・オブ・アプライドフィジックス第６５巻第９号第３６１０頁（１９８９年）、アプライド・フィジックス・レター第６９巻第１５号第２１６０頁（１９９６年）、アプライド・フィジックス・レター第７０巻第２号第１５２頁（１９９７年）、アプライド・フィジックス・レター第７０巻第１３号第１６６５頁（１９９７年）や、大阪大学の城田等により記されたアプライド・フィジックス・レター第６５巻第７号第８０７頁（１９９４年）等で述べられている。
【０００３】
有機薄膜発光素子の構成例を図１で示す。まず、ガラスや樹脂フィルム等の透明絶縁性の基板（１）上に、蒸着、イオンプレーティング又はスパッタリング法等でインジウムとスズの複合酸化物（以下ＩＴＯという）の透明導電性被膜の陽極（２）が形成される。次にその上にイオン化エネルギーの小さい順に２〜３層程度積層した有機半導体薄膜層からなる有機正孔注入輸送層（３）が形成される。
【０００４】
例えば、まず酸化に対して高安定な銅フタロシアニン（以下ＣｕＰｃと略す、イオン化エネルギー５．２ｅＶ）を第１正孔注入輸送層（８）として真空蒸着により１０ｎｍの厚さで形成する。
【０００５】
その上に、素子の短絡の原因となるピンホールを防ぐためにアモルファス性が高く、可視光の透過率が高い化学式４で示されるＮ，Ｎ' −ジ( １−ナフチル) −Ｎ，Ｎ’−ジフェニル−１，１' −ビフェニル−４，４' −ジアミン（以下ＮＰＤと略す。ガラス転移温度９６℃、イオン化エネルギー５．４ｅＶ）や化学式５で示されるｍ−ＭＴＤＡＴＡ（ガラス転移温度７５℃、イオン化エネルギー５．２ｅＶ）を第２正孔注入輸送層（９）として真空蒸着により４０〜１００ｎｍ程度の厚さで形成する。
【０００６】
【化２】
0004061840.tif 000002
【０００７】
【化３】
0004061840.tif 000003
【０００８】
次に有機正孔注入輸送層（３）上に有機発光層（４）としてトリス（８−キノリノラート）アルミニウム（以下Ａｌｑと略す。イオン化エネルギー５．８ｅＶ）等の有機蛍光体や特開平１１−３７８２号公報、特開平１１−３２３３２３号公報、特開平１１−３２９７３２号公報、特開２０００−１７８５４８号公報で述べられているアントラセン系、ベンゾアントラセン系発光材料等を４０〜１００ｎｍ程度の厚さで蒸着法、昇華転写法等で成膜する。
【０００９】
発光層中にペリレン系、クマリン系、ピラン系、ジメチルキナクリドン等の蛍光量子収率の高い蛍光色素をゲスト材料とし、１〜１０重量％程度ドーピングすることにより、発光輝度を高めたり、発光色を変えることもできる。ドーピングは共蒸着、または発光層ホスト材料とゲスト材料の積層膜を加熱することによりホスト材料中にゲスト材料を熱拡散させることも可能である。
【００１０】
有機発光層（４）上に電子輸送能力の優れたＡｌｑやビス（１０−ヒドロキシベンゾ［ｈ］キノリノラート）ベリリウム錯体等の材料からなる電子輸送層（５）を形成し駆動電圧を低減したり、正孔ブロック性の優れた２、９−ジメチル−４，７−ジフェニル−１，１０−フェナントロリン等の材料を発光層界面に積層して多層の電子輸送層（５）とすることもできる。
【００１１】
次に陰極（７）としてＡｌやＡｌ：Ｌｉ合金、希土類合金等の低仕事関数合金を共蒸着法により２００〜１０００ｎｍ程度蒸着する。
【００１２】
陰極にＡｌを用いる場合は、より電子注入効率を上げるために０．５ｎｍ程度のフッ化リチウムや酸化リチウム等のアルカリ金属含有電子注入層（６）を有機発光層（４）または電子輸送層（５）と陰極（７）間に形成することも行われる。
【００１３】
以上のように作られた素子は、透明電極側を陽極として３Ｖ程度以上の直流低電圧を印加することにより発光層に正孔と電子が注入され、その再結合により発光する。
【００１４】
以上のように形成した発光素子では、１２Ｖ程度の直流電圧印加で１００００ｃｄ／ｍ2 以上の輝度が得られる。
【００１５】
有機薄膜発光素子に用いる有機材料は耐熱性が要求されている。駆動による発熱や、夏の自動車のダッシュボード上でも有機層が軟化し混合することが無いようアモルファス材料では１００℃以上のガラス転移温度を有することが求められる。
【００１６】
しかし、通常有機薄膜発光素子に用いられるｍ−ＭＴＤＡＴＡやＮＰＤはガラス転移温度が１００℃以下であるため、陰極蒸着や封止等の素子作製中の基板温度上昇や素子の駆動中の発熱や高温になる場所での使用により、素子が劣化しやすい問題があった。
【００１７】
具体的には有機層が混合し素子の電流電圧特性が高電圧化したり、膜の結晶化が促進され電気的短絡やリークが発生し易くなる問題があった。
【００１８】
【発明が解決しようとする課題】
本発明は、これらの問題点を解決するためになされたものであり、その課題とするところは、１００℃以上の高いガラス転移温度を持つ耐熱正孔輸送性化合物の提供とそれらを用いた耐熱性の高い有機薄膜発光素子を提供することにある。
【００１９】
【課題を解決するための手段】
本発明において、前記課題を解決するために耐熱正孔輸送性化合物として、一般式［１］で示した構造を有するテトラヒドロピレン環を有する正孔輸送性化合物であって化学式７で示した構造を有する正孔輸送性化合物を用いることである。
【化４】
0004061840.tif 000004
（ここで、置換基Ｒ1 〜Ｒ2 はフェニル基、トリル等、ナフチル基、ビフェニル基、9,9-ジメチルフルオレン- ２- イル基、4,5,9,10−テトラヒドロピレン残基を含むアリール基等のアリール基から独立に選ばれる。またはＲ1 とＲ2 、Ｒ3 とＲ4 の一方または両方は連結可能で、カルバゾリル基、イミノジベンジリル基を１つ以上含み、連結していないＲn 基（ｎは１と２、または３と４）はフェニル基、トリル等、ナフチル基、ビフェニル基、9,9-ジメチルフルオレン- ２- イル基、4,5,9,10−テトラヒドロピレン残基を含むアリール基等のアリール基から独立に選ばれる。）
【００２０】
本発明における一般式［１］で示す正孔輸送性化合物は図１に示す有機薄膜発光素子の正孔注入輸送層（３）、第１正孔注入輸送層（８）、第２正孔注入輸送層（９）、有機発光層（４）、電子輸送層（５）等の、有機薄膜発光素子中の対向する電極間の半導体特性を有する有機層の少なくとも一層に用いることができる。
【００２１】
【発明の実施の形態】
従来用いられてきた正孔輸送材料では窒素原子間は、化学式４の化合物のようにビフェニレン基が用いられる場合が多かったが、本発明に用いる一般式［１］で示される化合物では、テトラヒドロピレン環を用い、その２本の非共役のエチレン鎖がビフェニレン基の回転の自由度を適度に抑制するため、ビフェニレン基の場合よりも分子の剛直性を高め、３０〜４０℃程度ガラス転移温度を高めることができる。
【００２２】
また、一般式［１］で示される正孔輸送性化合物の分子量は、５００〜１５００であることが好ましい。５００以下の場合は蒸発源の輻射熱やプロセスの影響で基板温度が１００℃以上になった場合、真空蒸着時に基板に付着しにくかったり再蒸発する問題があり、分子量が１５００以上の場合は蒸発温度が高くなり化合物の分解や炭化の問題が生じるからである。
【００２３】
ビフェニレン基のテトラヒドロピレン化に加えて、化学式２で示す化合物のように剛直性が高く耐熱性が高いナフタレン環等のアリール基を導入することにより、さらに高いガラス転移温度を得ることができる。具体的には、化合物（化学式３）は約１３６℃（ＤＳＣで２０℃／ｍｉｎの昇温速度で測定、転移領域１２８℃〜１４１℃）の高いガラス転移温度を有し、平滑で透明なアモルファス蒸着膜が得られる。
【化５】
0004061840.tif 000005
【００２４】
また、化学式３の膜のイオン化エネルギーは５．４ｅＶであり、正孔注入輸
送性に優れる。
【００２５】
化合物（化学式２）の２つのナフチル基は、αまたはβ位で置換することができるが、α位とβ位の両方で置換した化合物（化学式６）で示す化合物はより対称性が低く、化学式３よりもさらに結晶化し難くできる。
【００２６】
【化６】
0004061840.tif 000006
【００２７】
その他の一般式［１］で示される分子量５００〜１５００の化合物の具体例としては、化学式７〜化学式１８で示す化合物が上げられる。
【００２８】
【化７】
0004061840.tif 000007
【００２９】
【化８】
0004061840.tif 000008
【００３０】
【化９】
0004061840.tif 000009
【００３１】
【化１０】
0004061840.tif 000010
【００３２】
【化１１】
0004061840.tif 000011
【００３３】
【化１２】
0004061840.tif 000012
【００３４】
【化１３】
0004061840.tif 000013
【００３５】
【化１４】
0004061840.tif 000014
【００３６】
【化１５】
0004061840.tif 000015
【００３７】
【化１６】
0004061840.tif 000016
【００３８】
【化１７】
0004061840.tif 000017
【００３９】
【化１８】
0004061840.tif 000018
【００４０】
【化１９】
0004061840.tif 000019
【００４１】
化学式３の化合物の合成法は、まず、ピレンのBirch 還元により4,5,9,10−テトラヒドロピレンを得る。次に、4,5,9,10−テトラヒドロピレンを臭素と反応させて2,7-ジブロモ-4,5,9,10 −テトラヒドロピレンを得る。次に2,7-ジブロモ-4,5,9,10-テトラヒドロピレンをＰｄ触媒／ターシャリーブチルホスフィン存在下、Ｎ- フェニル- １- ナフチルアミンと反応させて、化学式３で示す化合物N,N'- ジフェニル-N,N'-ジ（1-ナフチル）-4,5,9,10 −テトラヒドロピレン-2,7- ジアミンを得る。
【００４２】
化学式６の化合物の合成法は、4,5,9,10−テトラヒドロピレンを過酸化窒素でモノニトロ化し2-ニトロ-4,5,9,10 −テトラヒドロピレンを得た後、Sandmeyer 反応でニトロ基をブロモ化し、さらにヨウ素とヨウ素酸により7 位をヨウ素化し2-ブロモ-7- ヨ−ド-4,5,9,10 −テトラヒドロピレンを得る。
【００４３】
次にullman反応によりＮ- フェニル- １- ナフチルアミンとヨード基を反応させて2-ブロモ-N- フェニル-N-(１- ナフチル）-4,5,9,10 −テトラヒドロピレン-7- アミンを得る。さらにＰｄ触媒／ターシャリーブチルホスフィン存在下、残ったブロモ基とＮ- フェニル- ２- ナフチルアミンと反応させて、化学式６で示す化合物N,N'- ジフェニル-N,N'-ジ（2-ナフチル）-4,5,9,10 −テトラヒドロピレン-2,7- ジアミンを得ることができる。
【００４４】
化学式７、８の化合物の合成は、化学式３の合成法中のＮ- フェニル- １- ナフチルアミンに代えてそれぞれイミノジベンジル、カルバゾールを用いて同様に行う。
【００４５】
化学式９の化合物は、化学式６の合成法中のＮ- フェニル- １- ナフチルアミンに代えてイミノジベンジルを用いて2-ブロモ-7- イミノジベンジル-4,5,9,10 −テトラヒドロピレンを得た後、カルバゾールをＰｄ触媒／ターシャリーブチルホスフィン存在下反応させて得られる。
【００４６】
化学式１０〜化学式１２の化合物は、化学式８の化合物の合成法中カルバゾールに代えてそれぞれ、ｐ−トリル−１−ナフチルアミン、N-（9,9-ジメチルフルオレン- ２- イル）−アニリン、N-（9,9-ジメチルフルオレン- ２- イル）-1,1'-ビフェニル-4- アミンを反応させることにより得られる。
【００４７】
化学式１３〜化学式１７の化合物は、２倍モル以上の2-ブロモ-7- イミノジベンジル-4,5,9,10 −テトラヒドロピレンとそれぞれアニリン、ジフェニル-p- フェニレンジアミン、ジフェニルベンジジン、ビス（4,4'- アニリノ）ジフェニルメタン、N,N'−（2-ナフチル）-p- フェニレンジアミンをＰｄ触媒／ターシャリーブチルホスフィン存在下反応させて得られる。
【００４８】
化学式１８の化合物は、2-アミノ-4,5,9,10 −テトラヒドロピレンと2-ブロモ-4,5,9,10 −テトラヒドロピレンとを当モル比でＰｄ触媒／ターシャリーブチルホスフィン存在下反応させビス（4,5,9,10−テトラヒドロピレン- 2-イル）アミンを得る。これを、2-ブロモ-7- イミノジベンジル-4,5,9,10 −テトラヒドロピレンとＰｄ触媒／ターシャリーブチルホスフィン存在下反応させて得られる。
【００４９】
化学式１９の化合物は、2-アミノ-4,5,9,10 −テトラヒドロピレンを２倍モル以上の2-ブロモ-4,5,9,10 −テトラヒドロピレンとＰｄ触媒／ターシャリーブチルホスフィン存在下反応させトリス（4,5,9,10−テトラヒドロピレン- 2-イル）アミンを得る。さらにこれをヨウ化カリウムでヨウ素化しトリス[7- ヨード- （4,5,9,10−テトラヒドロピレン- 2-イル）] アミンを得る。これに３倍モル以上のイミノジベンジルをUllman反応またはＰｄ触媒／ターシャリーブチルホスフィン存在下反応させて得られる。
【００５０】
化学式６〜化学式１９の正孔輸送性化合物は、テトラピレン構造を１つ以上含み１００℃以上の高いガラス転移温度を有する。
【００５１】
以下、本発明における一般式［１］の化合物を用いた有機薄膜発光素子を作製する場合の方法を説明する。
【００５２】
本発明における一般式［１］で示す正孔輸送性化合物は図１に示す有機薄膜発光素子の正孔注入輸送層（３）、第１正孔注入輸送層（８）、第２正孔注入輸送層（９）、有機発光層（４）、電子輸送層（５）等の、有機薄膜発光素子中の対向する電極間の半導体特性を有する有機層の少なくとも一層に用いることができる。
【００５３】
有機薄膜発光素子は基板上に通常、陽極（２）、正孔注入輸送層（３）、有機発光層（４）、電子輸送層（５）、陰極（７）の順に形成された後、封止膜またはガラス板等の封止板や金属缶で封止され作られる。また、別の場合には、基板上に陰極、電子輸送層、有機発光層、正孔注入輸送層、陽極の順に形成され封止することも可能である。
【００５４】
基板としてはプラスチック基板やガラス基板の他、シリコン基板等を用いることができるが、基板が不透明な場合は、光を取り出すためには少なくとも１方の対極または素子の端面が透明である必要がある。
【００５５】
陽極（２）は通常ＩＴＯやインジウム亜鉛複合酸化物、酸化錫等の透明電極が用いられるが、他の場合には金やプラチナ、パラジウム、ニッケル等の仕事関数が大きい金属の１０ｎｍ程度以下の膜厚の半透明膜や、カーボン膜、ポリチオフェン、ポリアニリン等の導電性高分子膜が単独または透明電極上に積層して用いられる。
【００５６】
正孔注入輸送層（３）は本発明の一般式［１］の化合物を、単独で、または他の有機半導体材料と積層して用いる。成膜方法は真空蒸着法、または有機溶媒に溶かしてスピンコート法、ディップコート法、ロールコート法、インクジェット法等、材料に応じて各種の製膜方法を適用し、陽極（２）上に厚さ数ｎｍ〜１μｍ程度の厚さに薄膜化し、正孔注入輸送層（３）とすることができる。一般式［１］の化合物より小さいイオン化エネルギーを持つ銅フタロシアニン等を第１正孔注入輸送層とする場合、一般式［１］の化合物を第２正孔注入輸送層とする。
【００５７】
一般式［１］の化合物はＳｅ、Ｔｅ等のカルコゲン系半導体や酸化インジウム、酸化インジウムスズ複合酸化物等の遷移金属酸化物半導体材料中に分散または混合して正孔注入輸送層（３）とすることもできる。
【００５８】
また、本発明の一般式［１］の化合物の膜中に塩化第２鉄や、トリス（４−ブロモフェニル）アンモニウムヘキサクロルアンチモネート等のルイス酸からなるアクセプターを添加し膜の電気抵抗を小さくし１μｍ以上の厚膜で正孔注入輸送層（３）を形成し素子の短絡を防止することも可能である。
【００５９】
有機発光層（４）は、Ａｌｑ等の既知の各種有機発光材料や、化学式２０〜２２で示す化合物等を用いることができる。ここで、Ａｒ基はナフチル基、ビフェニル基、9,9-ジメチルフルオレン- ２- イル基、オキサジアゾール基、トリアゾール基を含む基等から選ばれるアリール基である。
【００６０】
【化２０】
0004061840.tif 000020
【００６１】
【化２１】
0004061840.tif 000021
【００６２】
【化２２】
0004061840.tif 000022
【００６３】
また、本発明の一般式［１］の化合物をホストとしアントラセン誘導体、ベンゾアントラセン誘導体、ルブレン、トリス（２−フェニルピリジン）イリジウム錯体等の有機蛍光体、リン光体を５０重量％以下ドープすることにより、有機発光層（４）としても用いることができる。
【００６４】
電子輸送層（５）材料の例としては、電子輸送能力の優れた２，５−ビス（１−ナフチル）−１，３，４−オキサジアゾールや浜田らの合成したオキサジアゾール誘導体（日本化学会誌、１５４０頁、１９９１年）、特開平７−９０２６０号公報で述べられているトリアゾール化合物等がある。その他、ゲスト発光体をドーピングし有機発光層（４）を形成した場合には、Ａｌｑやビス（１０−ヒドロキシベンゾ［ｈ］キノリノラート）ベリリウム錯体等のホスト発光材料のみを用いることも可能である。また、電子輸送層（５）の有機材料中にＬｉやＣｓ等のアルカリ金属またはそれらのアルコキシドをドープしより低抵抗化し用いることも可能である。
【００６５】
電子輸送層（５）は単層、または正孔ブロック性の優れた２，９−ジメチル−４，７−ジフェニル−１，１０−フェナントロリン等の材料を発光層界面に積層して多層とすることもできる。
【００６６】
電子輸送層は真空蒸着法等の薄膜形成法で１０〜１０００ｎｍの厚さで成膜される。
【００６７】
陰極（５）は、有機発光層（４）または電子輸送層（５）上に形成する。
陰極は、有機発光層（４）または電子注入輸送層（６）と接する面に低仕事関数の材料を用いると電子注入効率が高まり低電圧発光が可能となる。陰極を構成する材料はＭｇ，Ａｌ等の金属単体が用いることも可能である。より低電圧で発光させ発光効率を上げるためにはＬｉ，Ｍｇ，Ｃａ，Ｓｒ，Ｌａ，Ｃｓ，Ｅｒ，Ｅｕ等の仕事関数３．７ｅＶ以下の低仕事関数金属を１種以上を含む低仕事関数合金で陰極を形成するか、１ｎｍ厚程度以下のアルカリ金属またはＬｉＦ、Ｌｉ2 Ｏ、Ｃｓ2 Ｏ等のアルカリ金属を含む化合物を含むアルカリ金属含有層（６）を有機発光層（４）または電子輸送層（５）上に形成してからＡｌやＡｇ、Ｃｕ等の電気抵抗が低く難腐食性の金属で陰極（５）を形成する。
【００６８】
陰極の形成方法は、材料に応じて、抵抗加熱蒸着法、電子ビーム蒸着法、反応性蒸着法、イオンプレーティング法を用いたり、合金ターゲットを用いてスパッタリング法により陰極を成膜することができる。
【００６９】
単純マトリックス駆動ディスプレイを形成する場合に陰極をストライプ状に形成する必要がある場合には、スリット状に穴の開いたマスクを基板に密着させて蒸着するか、陰極形成部全面に蒸着した後、レーザーアブレーション法またはイオンビームエッチング法、リアクティブエッチング法等で陰極金属のパターンニングを行うか、または、表面エネルギーの小さいトリフルオメチル基を３個以上有する炭素数６以上のフッ素置換アルキル化合物またはアルキレート化合物をライン上に塗布すれば、その部分にのみＭｇ等の金属が付着せず、陰極の金属ライン間を分離することができる。
【００７０】
絶縁封止膜（１０）は、有機層や電極の酸化を防ぐため陰極（５）形成後直ちに形成する。絶縁封止膜材料の例としては、ＳｉＯ2 、ＳｉＯ、ＧｅＯ、ＭｇＯ、Ａｌ2 Ｏ3 、Ｂ2 Ｏ3 、ＴｉＯ2 、ＺｎＯ、ＳｎＯ等の酸化物（多少化学量論比からずれていることもある）、ＭｇＦ2 、ＬｉＦ、ＡｌＦ3 等の沸化物、またはアモルファスなシリコン窒化膜、シリコン窒化酸化膜、アルミシリコン窒化酸化膜、ダイヤモンドライクカーボン膜等のガスおよび水蒸気バリアー性、電気絶縁性の高い材料があげられるが、上記例に限定されるものではない。これらを単体または複合化、または多層化して蒸着法、反応性蒸着法、ＣＶＤ法、スパッタリング法、イオンプレーティング法等により成膜する。
【００７１】
ピンホール防止膜（１１）としては、Ａｌ、Ｉｎ、Ｚｎ、Ｓｎ、Ｍｇ等の金属膜を蒸着、スパッタ法等で数１００ｎｍ以上の厚さで絶縁封止膜（１０）上に形成し、絶縁封止膜（１０）の微細な欠陥部からの水分、酸素の浸透を防止する。
【００７２】
さらに、より完全に湿気の浸入を防ぐために、低吸湿性の感光性接着剤層（１２）またはオレフィン系感熱接着剤層で、カバーガラス（１３）等の封止板の周囲または全面を真空中または窒素、ヘリウム、ネオン、アルゴン等の不活性ガス中で基板（１）と接着し密封する。ガラス板以外にも、金属缶、プラスチック板等を用いることもできる。接着剤層からの水分の浸透を防ぐためには、接着剤中に酸化バリウムやゼオライト等の乾燥剤を混合しておいても良いし、ピンホール防止膜（１１）上やカバーガラス等の封止板の内面にシリカゲルやゼオライト、酸化バリウムやカルシア等の乾燥剤、アルカリ金属やアルカリ土類金属、希土類などからなるゲッター材の層を形成しておいても良い。
【００７３】
以上のように構成した有機薄膜発光素子は、正孔注入輸送層（３）側を正として直流電圧を印加することにより発光するが、交流電圧を印加した場合にも正孔注入輸送層（３）側の電極が正に電圧印加されている間は発光する。
【００７４】
本発明による有機薄膜発光素子を基板上に２次元に配列することにより文字や画像を表示可能な薄型ディスプレーとすることができる。
【００７５】
赤、青、緑の３色の発光素子を２次元に配列するか、白色発光素子とカラーフィルターを用いてカラーディスプレー化も可能である。
【００７６】
【実施例】
＜実施例１＞  化合物（化学式３）の合成
トルエン１００ｍｌに酢酸パラジウム0.184 ｇ、トリ- ｔ- ブチルホスフィン0.7 ｍｌ、ナトリウム-t- ブトキシド3.36ｇを８０℃で撹拌溶解後、N-フェニル-1- ナフチルアミン14.45 ｇを加え３０分間撹拌後、2,7-ジブロモ-4,5,9,10 −テトラヒドロピレン4.0 ｇを加え、１００℃で１８時間撹拌反応させた。
【００７７】
反応後、ＴＨＦで抽出し酢酸エチルで洗浄した後、シリカゲルカラムクロマトグラフィーで精製した。さらにＴＨＦ／ヘキサンで再結晶することにより（化学式３）で示すN,N'- ジフェニル-N,N'-ジ（1-ナフチル）-4,5,9,10 −テトラヒドロピレン-2,7- ジアミンが3.9 ｇ（収率55.4％）得られた。純度99.5％（ＨＰＬＣ）。融点286 〜296 ℃（ホットプレート法）。
【００７８】
図２に化学式３の日本分光製フーリエ変換赤外分光光度計ＦＴ/ ＩＲ−５ＭＰでＫＢｒ法により測定した赤外線吸収スペクトルを示す。
【００７９】
＜実施例２＞
透明絶縁性の基板（１）として、厚さ１．１ｍｍの青板ガラス板上にスパッタリング法で成膜した１７０ｎｍのＩＴＯをエッチングしパターニングした後、使用前に水洗し、イソプロピルアルコール蒸気で乾燥、アルゴンプラズマ洗浄し陽極（２）とした。
【００８０】
次に、第１正孔注入輸送層（８）としてＣｕＰｃを１０ｎｍ、第２正孔注入輸送層（９）として、化学式３で表す化合物を４０ｎｍそれぞれ順に真空蒸着する。
【００８１】
次に、有機発光層（４）としてＡｌｑを５０ｎｍ蒸着し、その上面にアルカリ金属含有電子注入層（６）としてＬｉＦを０．５ｎｍ蒸着し、陰極（７）としてＡｌを２００ｎｍ蒸着する。
【００８２】
次に絶縁封止膜（１０）として酸化ゲルマニウムをＡｒプラズマアシスト蒸着で１μｍ成膜し、さらにピンホール防止膜（１１）としてＡｌを２００ｎｍ蒸着した。
【００８３】
最後に乾燥窒素下でプラズマ洗浄したカバーガラス（１３）をエポキシ系感光性接着剤（１２）で貼り付ける。
【００８４】
この素子は陽極と陰極を直流電源につないで電圧印加すると３Ｖ以上の電圧で緑色発光し最高輝度で１００００cd/m2 以上得られ、１００℃に加熱した後も素子は破壊せず同様に発光する。
【００８５】
＜比較例＞
第１正孔注入輸送層（８）までは実施例２と同様に作製した後、第２正孔注入輸送層（９）としてＮＰＤを４０ｎｍ、真空蒸着する。
【００８６】
次に、有機発光層（４）としてＡｌｑを５０ｎｍ蒸着し、その上面に電子注入層（５）としてＬｉＦを０．５ｎｍ蒸着し、陰極（７）としてＡｌを２００ｎｍ蒸着する。
【００８７】
この素子は３Ｖ以上の直流電圧で緑色発光が観察されたが、１００℃に加熱すると、輝度−電圧特性が高電圧シフトし、実施例２と同電圧を印加した場合に半分以下の輝度に劣化した。
【００８８】
＜実施例３＞
第１正孔注入輸送層（８）までは実施例２と同様に作製した後、第２正孔注入輸送層（９）として、化学式７で表す化合物を２５ｎｍ蒸着する。
【００８９】
次に有機発光層（４）として、化学式８で表す化合物中にトリス（２−フェニルピリジン）イリジウムを５重量％の割合でドープした膜を共蒸着法で３５ｎｍ積層する。
【００９０】
次に正孔ブロック性の電子輸送層（５）として２，９−ジメチル−４，７−ジフェニル−１，１０−フェナントロリンを１０ｎｍ蒸着する。さらに電子輸送層（５）としてＡｌｑを２５ｎｍ蒸着により積層する。
【００９１】
次にアルカリ金属含有層（６）としてＬｉＦを０．５ｎｍ蒸着し、陰極（７）としてＡｌを２００ｎｍ蒸着する。
【００９２】
次に絶縁封止膜（１０）としてＧｅＯをイオンプレーティングで１μｍ成膜し、さらにピンホール防止膜（１１）としてＡｌを２００ｎｍ蒸着した。
【００９３】
最後に乾燥窒素下でプラズマ洗浄したカバーガラス（１３）をエポキシ系感光性接着剤（１２）で貼り付ける。
【００９４】
この素子は陽極と陰極を直流電源につないで電圧印加すると３Ｖ以上の電圧で緑色発光し最高輝度で１００００cd/m2 以上得られ、１００℃に加熱した後も素子は破壊せず同様に発光する。
【００９５】
【発明の効果】
以上により、本発明の一般式［１］に示す正孔輸送性化合物は、１００℃以上の高いガラス転移温度を持つため、これをキャリア輸送機能または発光機能を有する層に用いることにより有機薄膜発光素子の耐熱性、信頼性を高める効果がある。
【００９６】
【図面の簡単な説明】
【図１】本発明の有機薄膜発光素子の断面の構造の一例を示す説明図である。
【図２】本発明の一実施例による化学式３の赤外線吸収スペクトル図である。
【符号の説明】
１…基板
２…陽極
３…正孔注入輸送層
４…有機発光層
５…電子輸送層
６…アルカリ金属含有層
７…陰極
８…第１正孔注入輸送層
９…第２正孔注入輸送層
１０…絶縁封止膜
１１…ピンホール防止膜
１２…感光接性着剤層
１３…カバーガラス
１４…陰極取り出し口ＩＴＯ
【図１】
0004061840.tif 000024
【図２】
0004061840.tif 000025